(57)【要約】【課題】より取り付け及び取り外しが簡単な光源装置及びそれを備えた照明装置、移動体を提供する。【解決手段】光源装置１０は、ＬＥＤ１と、ＬＥＤ１に流れる電流を制御する回路素子４と、ＬＥＤ１及び回路素子４が実装される実装基板２と、内部に実装基板２を収容する長尺の箱状の筐体３と、筐体３の長手方向に沿って筐体３から互いに反対方向に突出しＬＥＤ１と電気的に接続される一対の口金５と、を備える。一対の口金５の各々は、正面視において、筐体３における短手方向の両端部のうち、一方の端部に配置される。【選択図】図１
2018016264.tif 000002
【特許請求の範囲】
【請求項１】
ＬＥＤと、前記ＬＥＤに流れる電流を制御する回路素子と、前記ＬＥＤ及び前記回路素子が実装される実装基板と、内部に前記実装基板を収容する長尺の箱状の筐体と、前記筐体の長手方向に沿って前記筐体から互いに反対方向に突出し前記ＬＥＤと電気的に接続される一対の口金と、を備え、
前記一対の口金の各々は、正面視において、前記筐体における短手方向の両端部のうち一方の端部に配置される光源装置。
【請求項２】
前記回路素子は、複数設けられており、
複数の前記回路素子のうち少なくとも１つの前記回路素子は、正面視において、前記一対の口金に挟まれるように前記実装基板に配置されており、
前記ＬＥＤは、複数設けられており、
複数の前記ＬＥＤは、正面視において、前記一対の口金を結ぶ直線と平行な方向に沿って配置され、前記筐体の短手方向に沿った前記一方の端部と反対の他方の端部における前記実装基板に配置される請求項１に記載の光源装置。
【請求項３】
前記実装基板は、長尺の外形形状をしており、
前記実装基板は、長手方向の両端縁の各々が前記筐体の外部に突出しており、
前記一対の口金の各々は、円筒状の外形形状をしており、
前記一対の口金の各々は、前記筐体の外部に突出した前記実装基板の前記両端縁のうち対応する端縁を囲み、
前記一対の口金の各々は、はんだにより、前記端縁における前記実装基板の配線と電気的、かつ機械的に接続される請求項１または請求項２に記載の光源装置。
【請求項４】
請求項１から請求項３の何れか１項に記載の前記光源装置と、前記一対の口金と各別に電気的に接続される一対の接続端子と、前記一対の接続端子を支持する支持体と、を備え、
前記一対の接続端子の各々は、前記一対の口金のうち対応する口金を挟み持つ一対の挟持片を有し、
前記一対の挟持片は、弾性体である照明装置。
【請求項５】
請求項４に記載の照明装置と、前記照明装置を搭載する本体と、を備えた移動体。
【発明の詳細な説明】
【技術分野】
【０００１】
本発明は、光源装置及びそれを備えた照明装置、移動体に関し、特に、ＬＥＤ(light emitting diode)を備えた光源装置及びそれを備えた照明装置、移動体に関する。
【背景技術】
【０００２】
近年、自動車などの移動体には、電球の代わりにＬＥＤを備えた光源装置が使用されている。ＬＥＤを備えた光源装置は、電球と比較して、長寿命、かつ振動に強いという特性を備えている。
【０００３】
この種の光源装置としては、ＬＥＤと、点灯回路と、基板と、外枠ケースと、一対の口金と、を備えたＬＥＤ灯具が知られている（例えば、特許文献１を参照）。
【０００４】
点灯回路は、抵抗と定電流素子で構成されている。外枠ケースは、直方体形状をしている。外枠ケースは、箱状をしている。外枠ケースは、内部に基板を収容する。基板は、ＬＥＤ及び点灯回路が実装される。一対の口金は、外枠ケースの長さ方向の両端に取り付けられる。一対の口金は、ＬＥＤの給電端子を構成する。ＬＥＤ灯具は、車体に取り付けられ、照明として、車内に光を照射する。
【先行技術文献】
【特許文献】
【０００５】
【特許文献１】特開２０１１−２３０７５１号公報
【発明の概要】
【発明が解決しようとする課題】
【０００６】
ところで、光源装置は、一般に、車体などへ取り付けられる場合、取り付け場所が車体の狭い空間にあることが多い。光源装置は、一対の口金が外枠ケースの中央部に設けられる場合、光源装置の取り付け及び光源装置の取り外し作業が困難になる傾向にある。光源装置では、より取り付け及び取り外しが簡単な構成が求められており、上述の特許文献１の光源装置の構成だけでは、十分ではなく、更なる改良が求められている。
【０００７】
本発明の目的は、より取り付け及び取り外しが簡単な光源装置及びそれを備えた照明装置、移動体を提供することにある。
【課題を解決するための手段】
【０００８】
本発明に係る一態様の光源装置は、ＬＥＤと、回路素子と、実装基板と、筐体と、一対の口金と、を備える。上記回路素子は、上記ＬＥＤに流れる電流を制御する。上記実装基板は、上記ＬＥＤ及び上記回路素子が実装される。上記筐体は、長尺に形成される。上記筐体は、箱状の外形形状をしている。上記筐体は、内部に上記実装基板を収容する。上記一対の口金は、上記筐体の長手方向に沿って、上記筐体から互いに反対方向に突出する。上記一対の口金は、上記ＬＥＤと電気的に接続される。上記一対の口金の各々は、正面視において、上記筐体における短手方向の両端部のうち、一方の端部に配置される。
【０００９】
本発明の照明装置は、上述の上記光源装置と、一対の接続端子と、支持体と、を備える。上記一対の接続端子は、上記一対の口金と各別に電気的に接続される。上記支持体は、上記一対の接続端子を支持する。上記一対の接続端子の各々は、一対の挟持片を有する。上記一対の挟持片は、上記一対の口金のうち、対応する口金を挟み持つ。上記一対の挟持片は、弾性体である。
【００１０】
本発明の移動体は、上述の上記照明装置と、本体と、を備える。上記本体は、上記照明装置を搭載する。
【発明の効果】
【００１１】
本発明の光源装置は、より取り付け及び取り外しが簡単にできる。
【００１２】
本発明の照明装置及び移動体は、より取り付け及び取り外しが簡単な光源装置を備えた構成にできる。
【図面の簡単な説明】
【００１３】
【図１】図１は、本発明の一実施形態の光源装置を備えた照明装置を示す正面側の分解斜視図である。
【図２】図２は、同上の光源装置を示す背面側の分解斜視図である。
【図３】図３は、同上の光源装置を示す斜視図である。
【図４】図４は、同上の照明装置を示す正面図である。
【図５】図５は、同上の照明装置を示す一部破断した平面図である。
【図６】図６は、同上の照明装置を示す一部破断した横断面図である。
【図７】図７は、同上の照明装置を備えた移動体を示す模式的図である。
【発明を実施するための形態】
【００１４】
（実施形態１）
以下では、本実施形態の光源装置１０を、図１から図６に基づいて説明する。光源装置１０を備えた照明装置２０を、図１、図４から図６に基づいて説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材が複数の要素を兼ねる態様としてもよいし、逆に一の部材の機能を複数の部材で分担して実現してもよい。
【００１５】
本実施形態の光源装置１０は、図１から図６に示すように、ＬＥＤ１と、回路素子４と、実装基板２と、筐体３と、一対の口金５と、を備える。回路素子４は、ＬＥＤ１に流れる電流を制御する。実装基板２は、ＬＥＤ１及び回路素子４が実装される。筐体３は、長尺に形成される。筐体３は、箱状の外形形状をしている。筐体３は、内部に実装基板２を収容する。一対の口金５は、筐体３の長手方向に沿って、筐体３から互いに反対方向に突出する。一対の口金５は、ＬＥＤ１と電気的に接続される。一対の口金５の各々は、正面視において、筐体３における短手方向の両端部のうち、一方の端部に配置される。
【００１６】
本実施形態の光源装置１０は、一対の口金５の各々が、正面視において、筐体３の短手方向の両端部のうち、一方の端部に配置される構成で、より取り付け及び取り外しが簡単にできる。
【００１７】
以下では、本実施形態の光源装置１０について、より詳細に説明する。
【００１８】
光源装置１０は、ＬＥＤ１と実装基板２と筐体３と回路素子４と一対の口金５とに加え、図１から図４及び図６に示すレンズ６と、図３及び図５に示す導電性部材７と、を備える。ＬＥＤ１は、複数設けられる。図１では、３つのＬＥＤ１を例示している。回路素子４は、複数設けられる。図１及び図２では、４つの回路素子４を例示している。
【００１９】
複数のＬＥＤ１の各々は、図４に示すように、ＬＥＤチップ１ａと、パッケージ１ｂと、封止材１ｃと、を有する。各ＬＥＤ１は、表面実装型発光ダイオードである。ＬＥＤチップ１ａは、可視光を発光するベアチップである。ベアチップは、青色光が発光可能な青色ＬＥＤチップである。青色ＬＥＤチップは、窒化ガリウム系化合物半導体発光素子である。青色ＬＥＤチップは、例えば、通電により、ピーク波長が、４２０ｎｍから４９０ｎｍの範囲内にある青色光を放射する。
【００２０】
パッケージ１ｂは、一表面にＬＥＤチップ１ａを収納する凹所を有する。パッケージ１ｂは、樹脂材料で形成される。パッケージ１ｂの樹脂材料としては、例えば、エポキシ樹脂が挙げられる。パッケージ１ｂは、樹脂材料で形成される構成だけに限られず、セラミック材料で形成されてもよい。パッケージ１ｂのセラミック材料としては、例えば、アルミナが挙げられる。パッケージ１ｂは、一表面と反対の他表面に一対の外部接続端子が設けられる。一対の外部接続端子の各々は、ＬＥＤチップ１ａに給電できるように、ＬＥＤチップ１ａと電気的に接続される。
【００２１】
封止材１ｃは、パッケージ１ｂの凹所を封止する。封止材１ｃは、透光性材料により形成される。封止材１ｃの透光性材料としては、例えば、シリコーン樹脂、エポキシ樹脂、若しくはガラスが挙げられる。封止材１ｃの透光性材料には、蛍光体が混合される。
【００２２】
蛍光体は、例えば、黄色蛍光体である。黄色蛍光体は、青色ＬＥＤチップから放射される青色光により励起されて、黄色光を放射する。ＬＥＤ１は、青色ＬＥＤチップから放射される青色光と、黄色蛍光体から放射される黄色光と、の混色光を放射する。混色光としては、例えば、昼白色の光である。黄色蛍光体としては、例えば、Ｃｅで付活されたＹ３Ａｌ５Ｏ１２、若しくはＥｕで付活されたＢａ２ＳｉＯ４が挙げられる。
【００２３】
ＬＥＤ１は、青色ＬＥＤチップと黄色蛍光体とによって白色の光を放出する構成だけに限られない。ＬＥＤ１は、黄色蛍光体に代えて、例えば、赤色蛍光体と緑色蛍光体とを備える構成でもよい。ＬＥＤ１は、赤色蛍光体からの赤色光と、緑色蛍光体からの緑色光と、青色ＬＥＤチップからの青色光との混色光により、白色の光を放出する。ＬＥＤ１は、青色ＬＥＤチップに代えて、例えば、紫外光を放出する紫外ＬＥＤチップを備える構成でもよい。ＬＥＤ１は、紫外ＬＥＤチップを備える場合、例えば、紫外光で励起され赤色光を放出する赤色蛍光体と、紫外光で励起され緑色光を放出する緑色蛍光体と、紫外光で励起され青色光を放出する青色蛍光体と、を備える。ＬＥＤ１は、赤色蛍光体からの赤色光と、緑色蛍光体からの緑色光と、青色蛍光体からの青色光と、の混色によって白色の光を放出する。封止材１ｃの透光性材料には、必ずしも蛍光体が混合されていなくともよい。ＬＥＤ１は、配光を制御するレンズを備えていてもよい。ＬＥＤ１は、表面実装型発光ダイオードの構成だけに限られない。ＬＥＤ１は、ＬＥＤチップ１ａだけでもよい。
【００２４】
実装基板２は、図１、図２及び図６に示すように、長尺に形成される。実装基板２は、平板状の外形形状をしている。実装基板２は、主片２ａと、一対の突出片２ｂと、を有する。主片２ａは、長尺に形成される。主片２ａは、矩形平板状の外形形状をしている。一対の突出片２ｂの各々は、長尺に形成される。一対の突出片２ｂの各々は、主片２ａよりも小さい矩形平板状の外形形状をしている。一対の突出片２ｂは、主片２ａの長手方向に沿って、主片２ａから互いに反対方向に突出する。一対の突出片２ｂの各々は、主片２ａにおける短手方向の両端部のうち、一方の端部に偏って設けられる。以下では、一対の突出片２ｂのうち、一方の突出片２ｂを第１突出片２ｂ１と称し、一対の突出片２ｂのうち、他方の突出片２ｂを第２突出片２ｂ２と称することもある。
【００２５】
実装基板２は、主片２ａに複数のＬＥＤ１が実装される。実装基板２は、主片２ａに回路素子４が実装される。実装基板２は、図１に示すように、主片２ａの短手方向の一方の端部において、複数の回路素子４のうち、１つの回路素子４が配置される。実装基板２は、第１主面２ａａにおいて、一対の突出片２ｂを結ぶ直線上に、１つの回路素子４が配置される。言い換えれば、実装基板２は、正面視において、一対の突出片２ｂを結ぶ直線上に、複数の回路素子４のうち、少なくとも１つの回路素子４が配置される。実装基板２は、図２に示すように、第１主面２ａａと反対の第２主面２ａｂに、複数の回路素子４のうち、残りの回路素子４が実装される。
【００２６】
実装基板２は、主片２ａの短手方向の一方の端部と反対の他方の端部において、主片２ａの長手方向に沿って、複数のＬＥＤ１が直線状に配置される。言い換えれば、実装基板２は、正面視において、一対の突出片２ｂを結ぶ直線と平行な方向に沿って、一対の突出片２ｂを結ぶ直線上からずれて複数のＬＥＤ１が配置される。
【００２７】
実装基板２は、配線２ｃと、レジスト２ｄと、を有する。配線２ｃは、実装基板２の第１主面２ａａに形成される。配線２ｃは、実装基板２の第２主面２ａｂにも形成される。実装基板２の第１主面２ａａに形成された配線２ｃと、実装基板２の第２主面２ａｂに形成された配線２ｃとは、実装基板２の厚み方向に貫通する貫通配線によって、電気的に接続される。言い換えれば、実装基板２は、両面プリント配線板である。配線２ｃは、複数のＬＥＤ１及び複数の回路素子４を電気的に接続できるように、所定の形状に形成される。配線２ｃは、例えば、銅箔である。配線２ｃは、一対の突出片２ｂの先端まで引き回される。
【００２８】
レジスト２ｄは、実装基板２の第１主面２ａａ及び第２主面２ａｂに形成される。レジスト２ｄは、薄膜であり、図１及び図２にだけ図示している。レジスト２ｄは、配線２ｃの一部を除いて配線２ｃを覆うように、設けられる。配線２ｃは、薄膜であり、レジスト２ｄから露出した一部の配線２ｃを図１にだけ図示している。レジスト２ｄは、配線２ｃの酸化及び配線２ｃの腐食を抑制する。レジスト２ｄは、電気絶縁性を有する。レジスト２ｄは、複数のＬＥＤ１を電気的に接続する配線２ｃ同士の短絡を抑制する。レジスト２ｄは、実装基板２の絶縁耐圧を向上する。レジスト２ｄは、白色に着色される。レジスト２ｄは、ＬＥＤ１からの光を反射して、光源装置１０の光取り出し効率の低下を抑制する。レジスト２ｄは、光反射フィラーと、樹脂材料と、を有する。レジスト２ｄは、樹脂材料に光反射フィラーが含有されることで、白色に着色される。光反射フィラーとしては、例えば、酸化チタンが挙げられる。レジスト２ｄの樹脂材料としては、例えば、エポキシ樹脂、若しくはシリコーン樹脂が挙げられる。
【００２９】
実装基板２は、はんだにより、ＬＥＤ１における外部接続端子と、レジスト２ｄから露出した配線２ｃと、が電気的に接続される。実装基板２は、配線２ｃを介して、複数のＬＥＤ１の各々を、電気的に直列、並列、若しくは直列並列に接続する。実装基板２は、ガラスエポキシ樹脂基板である。実装基板２は、ガラスエポキシ樹脂基板だけに限られない。実装基板２は、例えば、セラミックス基板、若しくは金属ベース基板でもよい。実装基板２がセラミックス基板の場合、セラミックス基板の材料としては、例えば、アルミナ、若しくは窒化アルミニウムが挙げられる。実装基板２が金属ベース基板の場合、金属ベース基板の材料としては、例えば、アルミニウム合金基板、銅合金基板、若しくは鉄合金基板が挙げられる。
【００３０】
筐体３は、図１から図６に示すように、長尺に形成される。筐体３は、直方体状の外形形状をしている。筐体３は、ボディ３ａと、カバー３ｂと、を有する。ボディ３ａは、一面に開口３ａａを有する箱状の外形形状をしている。ボディ３ａは、一対の突出部３ｃと、ボディ本体３ｈと、拡幅部３ｋと、を有する。ボディ本体３ｈは、長尺に形成される。ボディ本体３ｈは、有底角筒状の外形形状をしている。一対の突出部３ｃは、ボディ本体３ｈの長手方向に沿って、ボディ本体３ｈから互いに反対方向に突出する。一対の突出部３ｃは、正面視において、ボディ本体３ｈの短手方向の両端部のうち、一方の端部に偏って設けられる。一対の突出部３ｃの各々は、延出部３ｅと、一対の突出壁３ｆと、を有している。延出部３ｅは、ボディ本体３ｈの長手方向に沿って、外方へ突出する。延出部３ｅは、半円柱状の外形形状をしている。一対の突出壁３ｆの各々は、矩形平板状の外形形状をしている。一対の突出壁３ｆの各々は、長手方向が延出部３ｅの長手方向に沿って設けられる。一対の突出壁３ｆは、正面視において、延出部３ｅの短手方向の両側に配置される。一対の突出壁３ｆは、互いに対向して配置される。以下では、一対の突出部３ｃのうち、一方の突出部３ｃを第１突出部３ｃ１と称し、一対の突出部３ｃのうち、他方の突出部３ｃを第２突出部３ｃ２と称することもある。
【００３１】
第１突出部３ｃ１は、延出部３ｅに実装基板２の第１突出片２ｂ１が載せ置かれた状態で、第１突出部３ｃ１における一対の突出壁３ｆが実装基板２の短手方向の移動を規制する。第２突出部３ｃ２は、ボディ本体３ｈの長手方向に沿って、第１突出部３ｃ１と反対の外方へ突出する。第２突出部３ｃ２は、延出部３ｅに実装基板２の第２突出片２ｂ２が載せ置かれた状態で、第２突出部３ｃ２における一対の突出壁３ｆが実装基板２の短手方向の移動を規制する。
【００３２】
拡幅部３ｋは、ボディ本体３ｈの短手方向における一方の端部と反対の他方の端部に設けられる。拡幅部３ｋは、ボディ本体３ｈの長手方向の長さよりも、若干長く形成される。拡幅部３ｋは、第１立壁３ｋ１と、第２立壁３ｋ２と、第３立壁３ｋ３と、を有している。第１立壁３ｋ１は、長尺に形成される。第１立壁３ｋ１は、矩形平板状の外形形状をしている。第２立壁３ｋ２は、長尺に形成される。第２立壁３ｋ２は、矩形平板状の外形形状をしている。第２立壁３ｋ２は、長手方向の両端部において、短手方向の一方の端に一対の爪３ｍを有する。第３立壁３ｋ３は、長尺に形成される。第３立壁３ｋ３は、矩形平板状の外形形状をしている。第１立壁３ｋ１は、第２立壁３ｋ２の長手方向の一端に設けられる。第１立壁３ｋ１は、長手方向の長さが第２立壁３ｋ２の短手方向の長さと同じ長さに形成される。第３立壁３ｋ３は、第２立壁３ｋ２の長手方向の一端と反対の他端に設けられる。第３立壁３ｋ３は、長手方向の長さが第２立壁３ｋ２の短手方向の長さと同じ長さに形成される。第１立壁３ｋ１と第３立壁３ｋ３とは、対向して配置される。拡幅部３ｋは、第１立壁３ｋ１と第２立壁３ｋ２と第３立壁３ｋ３とで、正面視において、Ｃ字状の外形形状をしている。拡幅部３ｋは、正面視において、突出部３ｃよりもボディ本体３ｈの長手方向への突出量が少ない。
【００３３】
カバー３ｂは、ボディ３ａの開口３ａａを塞ぐ。カバー３ｂは、一対の突起部３ｄと、カバー本体３ｐと、を有する。カバー本体３ｐは、長尺に形成される。カバー本体３ｐは、矩形平板状の外形形状をしている。カバー本体３ｐは、窓孔３ｂａを有する。窓孔３ｂａは、カバー本体３ｐの厚み方向に貫通する。窓孔３ｂａは、正面視において、矩形状に形成される。窓孔３ｂａの長手方向は、カバー本体３ｐの長手方向に沿って設けられる。窓孔３ｂａは、カバー本体３ｐの短手方向の中央より他方の端部側に配置される。
【００３４】
一対の突起部３ｄは、カバー本体３ｐの長手方向に沿って、カバー本体３ｐから互いに反対方向に突出する。一対の突起部３ｄは、正面視において、カバー本体３ｐの短手方向の両端部のうち、一方の端部に偏って設けられる。以下では、一対の突起部３ｄのうち、一方の突起部３ｄを第１突起部３ｄ１と称し、一対の突起部３ｄのうち、他方の突起部３ｄを第２突起部３ｄ２と称することもある。第１突起部３ｄ１は、カバー本体３ｐの長手方向に沿って、外方へ突出する。第１突起部３ｄ１は、半円柱状の外形形状をしている。第２突起部３ｄ２は、カバー本体３ｐの長手方向に沿って、第１突起部３ｄ１と反対の外方へ突出する。第２突起部３ｄ２は、半円柱状の外形形状をしている。
【００３５】
カバー３ｂは、カバー本体３ｐの短手方向の他方の端にボディ３ａの爪３ｍと対応する切欠部３ｎが設けられる。筐体３は、カバー３ｂがボディ３ａの開口３ａａを塞いだ状態で、爪３ｍが切欠部３ｎに設けられた引掛突起に引っ掛かる。筐体３は、カバー３ｂがボディ３ａの開口３ａａを塞いだ状態で、第１突出部３ｃ１と第１突起部３ｄ１とが重なる。筐体３は、カバー３ｂがボディ３ａの開口３ａａを塞いだ状態で、第２突出部３ｃ２と第２突起部３ｄ２とが重なる。筐体３は、カバー３ｂがボディ３ａの開口３ａａを塞いだ状態で、第１突出部３ｃ１及び第１突起部３ｄ１で円筒状の外形形状を構成する。第１突出部３ｃ１及び第１突起部３ｄ１は、カバー３ｂがボディ３ａの開口３ａａを塞いだ状態で、筐体３の内部と外部とに連なる角筒状の開口孔を構成する。筐体３は、カバー３ｂがボディ３ａの開口３ａａを塞いだ状態で、第２突出部３ｃ２と第２突起部３ｄ２とが円筒状の外形形状を構成する。第２突出部３ｃ２と第２突起部３ｄ２とは、カバー３ｂがボディ３ａの開口３ａａを塞いだ状態で、図５に示すように、開口孔３ａｃを構成する。開口孔３ａｃは、筐体３の内部と外部とが連なるように構成される。開口孔３ａｃは、角筒状の外形形状をしている。開口孔３ａｃは、実装基板２の突出片２ｂが突出できるように構成されている。
【００３６】
筐体３は、樹脂材料で形成される。筐体３の樹脂材料は、ＰＡ(Poly Amide)樹脂である。筐体３の樹脂材料は、ＰＡ樹脂だけに限られず、ＰＢＴ(Poly Butylene Terephthalate)樹脂、ＬＣＰ(Liquid Crystal Plastic)樹脂、ＰＥＴ(Poly Ethylene Terephthalate)樹脂、フェノール樹脂、ＡＢＳ（Acrylonitrile Butadiene Styrene）樹脂、ＰＰ（polypropylene）樹脂、ＳＰＳ(Syndiotactic Poly Styrene)樹脂、若しくはＰＰＳ(Poly Phenylene Sulfide)樹脂でもよい。筐体３は、樹脂材料中にガラス繊維が配合されることで、機械的強度が高められてもよい。
【００３７】
複数の回路素子４は、図１、図２及び図６に示すように、実装基板２の第１主面２ａａ及び第２主面２ａｂに実装される。複数の回路素子４は、実装基板２の配線２ｃにより、相互に電気的に接続される。複数の回路素子４は、相互に電気的に接続されて、点灯回路を構成する。点灯回路は、一対の口金５から入力される直流電圧を所定の極性及び所定の電圧値に調整して、複数のＬＥＤ１それぞれに出力する。
【００３８】
回路素子４としては、例えば、抵抗素子、整流素子、コンデンサ及び定電圧素子が挙げられる。実装基板２の第１主面２ａａに実装された回路素子４は、抵抗素子である。実装基板２の第２主面２ａｂに実装された回路素子４は、整流素子、コンデンサ及び定電圧素子である。定電圧素子は、ツェナーダイオードである。整流素子は、ダイオードブリッジ回路を構成する。ダイオードブリッジ回路は、入力された直流電力を全波整流する。回路素子４は、コイル、ダイオード、若しくはトランジスタが含まれてもよい。回路素子４は、光源装置１０における一対の口金５のうち、何れの口金５が外部の直流電源の正極側と接続された場合でも、各ＬＥＤ１に順方向電流が流れるように、一対の口金５と各ＬＥＤ１とがダイオードブリッジ回路を介して電気的に接続される。
【００３９】
一対の口金５の各々は、図１から図５に示すように、円筒状の外形形状をしている。各口金５は、軸方向が筐体３の長手方向に沿って設けられる。一対の口金５の各々は、実装基板２の対応する突出片２ｂに設けられた配線２ｃと電気的に接続される。一対の口金５は、複数のＬＥＤ１を点灯させる電力を外部から受ける。一対の口金５は、外部からの電力を複数のＬＥＤ１へ供給する。一対の口金５は、光源装置１０に給電する給電端子として機能する。以下では、一対の口金５のうち、一方の口金５を第１口金部５ａと称し、一対の口金５のうち、他方の口金５を第２口金部５ｂとも称する。
【００４０】
第１口金部５ａは、筐体３の長手方向に沿って、筐体３の一端から外方に突出する。第１口金部５ａは、金属材料により形成される。第１口金部５ａの金属材料としては、例えば、真ちゅう、銅、銅合金、鉄、若しくはステンレスが挙げられる。第１口金部５ａは、実装基板２の第１突出片２ｂ１に設けられた配線２ｃと電気的に接続される。
【００４１】
第２口金部５ｂは、筐体３の長手方向に沿って、筐体３の一端と反対の他端から外方に突出する。第１口金部５ａと第２口金部５ｂとは、正面視において、筐体３を介して、互いに対向して配置される。第２口金部５ｂは、金属材料によって構成される。第２口金部５ｂの金属材料としては、例えば、真ちゅう、銅、銅合金、鉄、若しくはステンレスが挙げられる。第２口金部５ｂは、第１口金部５ａと同じ金属材料で形成されてもよいし、異なる金属材料で形成されてもよい。第２口金部５ｂは、実装基板２の第２突出片２ｂ２に設けられた配線２ｃと電気的に接続される。
【００４２】
レンズ６は、図１から図４、図６に示すように、長尺に形成される。レンズ６は、矩形平板状の外形形状をしている。レンズ６は、筐体３と別体に構成される。レンズ６は、筐体３の窓孔３ｂａに嵌め込まれる。レンズ６は、ＬＥＤ１からの光に対して、透光性を有する。図６では、ＬＥＤ１から放射される光を一点鎖線の矢印で例示している。レンズ６は、ＬＥＤ１からの光を拡散する。レンズ６は、ＬＥＤ１からの光を拡散する構成だけに限られない。レンズ６は、ＬＥＤ１からの光を集光する構成でもよい。レンズ６は、ＬＥＤ１からの光を所定の照射方向へ変更することもできる。レンズ６は、ＬＥＤ１を覆って設けられる。レンズ６は、ＬＥＤ１を覆って、ＬＥＤ１を機械的に保護する。レンズ６は、例えば、フレネルレンズである。フレネルレンズは、複数のＬＥＤ１の各々に対応して設けられる。レンズ６は、フレネルレンズだけでなく、凸レンズでも凹レンズでもよい。レンズ６は、透光性の成形品である。レンズ６の材料としては、例えば、エポキシ樹脂、アクリル樹脂、シリコーン樹脂、ポリカーボネート樹脂、若しくはガラスが挙げられる。レンズ６は、矩形平板状の外形形状だけに限られない。レンズ６は、ＬＥＤ１の数、ＬＥＤ１の配置及び窓孔３ｂａの形状に応じて、適宜の形状に形成される。レンズ６は、ＬＥＤ１から所定の配光特性の光が得られる場合、必ずしも設けられなくともよい。
【００４３】
レンズ６は、光拡散部材を有してもよい。光拡散部材は、ＬＥＤ１から放射される光を光拡散させる。光拡散部材は、光散乱粒子と、バインダと、を有する。光散乱粒子は、ＬＥＤ１からの光を散乱させる。光散乱粒子の材料としては、例えば、酸化珪素、酸化チタン、若しくは炭酸カルシウムが挙げられる。バインダは、光散乱粒子をレンズ６に付着させる。バインダの材料としては、例えば、シリコーン樹脂、若しくはエポキシ樹脂が挙げられる。光拡散部材は、レンズ６の内表面に設けられる。光拡散部材は、レンズ６の内表面に設けられる構成に限られず、レンズ６の外表面に設けられてもよい。光拡散部材は、レンズ６の内表面、若しくは外表面に形成された凹凸でもよい。
【００４４】
導電性部材７は、図３及び図５に示すように、実装基板２の第１主面２ａａにおける突出片２ｂの配線２ｃと、対向する口金５の内周面５ａａとを繋ぐように設けられる。導電性部材７は、実装基板２の第２主面２ａｂにおける突出片２ｂに配線２ｃが設けられている場合、第２主面２ａｂの配線２ｃと、対向する口金５の内周面５ａａとを繋ぐように設けられてもよい。導電性部材７は、実装基板２の突出片２ｂにおける配線２ｃと、口金５と、を電気的に接続する。導電性部材７は、例えば、はんだ、若しくは導電性樹脂が挙げられる。導電性樹脂としては、銀ペーストが挙げられる。すなわち、導電性部材７は、実装基板２の第１突出片２ｂ１における配線２ｃと、第１口金部５ａと、を電気的に接続する。導電性部材７は、実装基板２の第２突出片２ｂ２における配線２ｃと、第２口金部５ｂと、を電気的に接続する。
【００４５】
以下では、光源装置１０の製造工程について説明する。
【００４６】
光源装置１０は、実装基板２の第１主面２ａａに複数のＬＥＤ１が実装される。実装基板２は、配線２ｃを覆うように予めレジスト２ｄが形成される。実装基板２は、レジスト２ｄから露出した配線２ｃのランドにクリームはんだが塗布され後、複数のＬＥＤ１がランドに搭載される。実装基板２の第１主面２ａａには、複数のＬＥＤ１と同様に、回路素子４が搭載される。実装基板２は、リフロー炉で加熱され、複数のＬＥＤ１及び複数の回路素子４がはんだ付けされる。光源装置１０は、実装基板２の第２主面２ａｂも同様にして、複数の回路素子４がはんだ付けされる。光源装置１０の製造工程では、第１主面２ａａのはんだ付けと、第２主面２ａｂのはんだ付けとの温度条件を変えている。
【００４７】
ボディ３ａ、カバー３ｂ及びレンズ６は、例えば、射出成形によりそれぞれ形成される。実装基板２をボディ３ａの内部に収納する。実装基板２は、第１突出片２ｂ１が第１突出部３ｃ１に載せ置かれる。実装基板２は、第２突出片２ｂ２が第２突出部３ｃ２に載せ置かれる。実装基板２をボディ３ａの内部に収納した状態で、カバー３ｂがボディ３ａに被せられる。カバー３ｂがボディ３ａに被せられた状態で、ボディ３ａの爪３ｍがカバー３ｂの引掛突起に引き掛かけられる。カバー３ｂの窓孔３ｂａには、レンズ６が嵌め込み固定される。
【００４８】
次に、一対の突出部３ｃと、対応する一対の突起部３ｄとをそれぞれ覆うように、一対の口金５が取り付けられる。一対の口金５は、それぞれ筐体３の中央部に向かう方向に力を加えるようにして、互いに押し付けられる。第１口金部５ａは、ボディ３ａの第１突出部３ｃ１と、カバー３ｂの第１突起部３ｄ１とを挟み持つ。筐体３からはみ出した実装基板２の第１突出片２ｂ１を第１口金部５ａの内部に差し込むようにして、第１口金部５ａが筐体３の長手方向に沿った一方の端部に装着される。第１口金部５ａは、筐体３の一方の端部を覆うように、筐体３に取り付けられる。
【００４９】
第２口金部５ｂは、ボディ３ａの第２突出部３ｃ２と、カバー３ｂの第２突起部３ｄ２とを挟み持つ。筐体３からはみ出した実装基板２の第２突出片２ｂ２を第２口金部５ｂの内部に差し込むようにして、第２口金部５ｂが筐体３の長手方向に沿った一方の端部と反対の他方の端部に装着される。第２口金部５ｂは、筐体３の他方の端部を覆うように、筐体３に取り付けられる。
【００５０】
その後、第１口金部５ａの内周面５ａａと、実装基板２の第１突出片２ｂ１における配線２ｃとが、はんだ付けされることで、導電性部材７が形成される。第１突出片２ｂ１の配線２ｃと、第１口金部５ａとは、はんだにより電気的、かつ機械的に接続される。同様に、第２口金部５ｂの内周面５ａａと、実装基板２の第２突出片２ｂ２における配線２ｃとが、はんだ付けされることで、導電性部材７が形成される。第２突出片２ｂ２の配線２ｃと、第２口金部５ｂとは、はんだにより電気的、かつ機械的に接続される。一対の口金５と、実装基板２とがはんだ付けされることで、光源装置１０が形成される。
【００５１】
以下では、光源装置１０を備えた照明装置２０の構成について説明する。照明装置２０は、図１、図４、図５及び図６に示すように、光源装置１０に加え、一対の接続端子２２と、支持体２１と、を備える。
【００５２】
一対の接続端子２２は、図４及び図５に示すように、光源装置１０を保持する。一対の接続端子２２は、光源装置１０の対応する一対の口金５と電気的に接続される。一対の接続端子２２の各々は、図１、図４及び図５に示すように、一対の挟持片２３と、支持片２４と、連結片２５と、一対の固定片２６と、一対の保持片２７と、を有する。一対の挟持片２３の各々は、基片２３ａと、押圧片２３ｂと、ガイド片２３ｃと、を有する。基片２３ａは、図５に示す平面視において、Ｃ字状の外形形状をしている。基片２３ａの先端には、押圧片２３ｂが設けられている。押圧片２３ｂは、平面視において、円弧状の外形形状をしている。押圧片２３ｂは、基片２３ａと反対側にガイド片２３ｃを有する。ガイド片２３ｃは、平板状の外形形状をしている。一対の挟持片２３は、ガイド片２３ｃで口金５の挿入が案内される。一対の挟持片２３は、押圧片２３ｂで口金５を挟み持つ。
【００５３】
支持片２４は、長尺に形成される。支持片２４は、矩形平板状の外形形状をしている。一対の接続端子２２のうち、一方の接続端子２２の支持片２４は、図１に示すように、正面視において、他方の接続端子２２の支持片２４よりも大きく形成される。各支持片２４は、厚み方向に貫通する第１貫通孔２４ａａを有する。第１貫通孔２４ａａは、支持片２４の長手方向の両端部において、支持片２４の短手方向の中央部に設けられている。第１貫通孔２４ａａは、図４に示すように、ねじ２９が挿通される。支持片２４は、第１貫通孔２４ａａに挿通されたねじ２９により、支持体２１に固定される。
【００５４】
連結片２５は、平板状の外形形状をしている。一対の接続端子２２のうち、一方の接続端子２２の連結片２５は、図１に示すように、正面視において、長方形状に形成される。一方の接続端子２２の連結片２５は、正面視において、挟持片２３における支持片２４と反対方向に突出する。一対の接続端子２２のうち、他方の接続端子２２の連結片２５は、正面視において、三角形状に形成される。他方の接続端子２２の連結片２５は、正面視において、支持片２４における挟持片２３と反対方向に突出する。他方の接続端子２２の連結片２５は、正面視において、支持片２４から離れるにつれ先端が狭くなる三角形状に形成される。
【００５５】
連結片２５は、厚み方向に貫通する第２貫通孔２５ａａを有する。第２貫通孔２５ａａは、図４に示すように、ねじ２９が挿通される。連結片２５は、第２貫通孔２５ａａに挿通されたねじ２９により、支持体２１に固定される。連結片２５は、支持片２４と反対側に一対の固定片２６が設けられる。
【００５６】
一対の固定片２６は、連結片２５の厚み方向に突出する。一対の固定片２６の各々は、矩形平板状の外形形状をしている。一対の固定片２６は、互いに対向して配置される。一対の固定片２６は、図５に示す平面視において、Ｖ字状の外形形状をしている。一対の固定片２６は、互いに近づく向きに加締められて、外部の電源と接続された電線の芯線を挟み持つ。一対の固定片２６は、連結片２５と反対側に一対の保持片２７が設けられる。
【００５７】
一対の保持片２７は、連結片２５の厚み方向に突出する。一対の保持片２７の各々は、矩形平板状の外形形状をしている。一対の保持片２７は、互いに対向して配置される。一対の保持片２７は、図５に示す平面視において、Ｖ字状の外形形状をしている。一対の保持片２７は、互いに近づく向きに加締められて、外部の電源と接続された電線の絶縁被覆を挟み持つ。
【００５８】
一対の接続端子２２の各々は、一対の挟持片２３と支持片２４と連結片２５と一対の固定片２６と一対の保持片２７とが一体的に構成される。接続端子２２は、例えば、平板状の金属板により形成される。接続端子２２は、金属板の打ち抜き加工及び折り曲げ加工により形成される。接続端子２２の材料は、導電性の高い材料が好ましい。接続端子２２の材料は、例えば、黄銅である。接続端子２２の材料は、黄銅だけに限られず、リン青銅、鉄、若しくはステンレスでもよい。接続端子２２は、表面がスズや銀でめっき処理されてもよい。
【００５９】
一対の接続端子２２は、光源装置１０における第１口金部５ａと第２口金部５ｂとの間の長さに応じて、所定の間隔で配置される。一対の接続端子２２は、光源装置１０の内部に配置されるＬＥＤ１と、光源装置１０の外部の電源と、を電気的に接続させる。一対の接続端子２２のうち、一方の接続端子２２は、光源装置１０の第１口金部５ａと電気的に接続される。一対の接続端子２２のうち、他方の接続端子２２は、光源装置１０の第２口金部５ｂと電気的に接続される。一対の接続端子２２の各々は、外部の電源からの電線と電気的、かつ機械的に接続する。
【００６０】
以下では、本実施形態の光源装置１０が比較例の光源装置と比較して、より取り付け及び取り外しが簡単にできることについて説明する。比較例の光源装置は、一対の口金の各々が、正面視において、筐体における短手方向の中央部に設けられる以外、本実施形態の光源装置１０と同様に構成される。比較例の光源装置は、本実施形態の光源装置１０と同じ一対の接続端子により電気的に接続される。
【００６１】
ところで、光源装置は、比較的に狭い場所に配置される場合が多い。光源装置は、一対の接続端子に取り付けられる場合、筐体の両端にある一対の口金しか作業者が保持できない場合がある。比較例の光源装置では、一対の接続端子の挟持片が対応する口金を挟み持つ構造の場合、作業者が光源装置における筐体の短手方向から保持し難ければ、一対の接続端子への取り付け及び取り外しが困難な場合がある。
【００６２】
本実施形態の光源装置１０は、一対の口金５の各々が、正面視において、筐体３における短手方向の一方の端部に配置されているので、一対の口金５が設けられていない筐体３における短手方向の他方の端部を利用して、より取り付け及び取り外しを行い易くできる。本実施形態の光源装置１０では、筐体３における短手方向の他方の端部に設けられた拡幅部３ｋを作業者が筐体３の長手方向から把持できるので、より取り付け及び取り外しが簡単にできる。光源装置１０は、一対の口金５の軸周りに拡幅部３ｋを図５の白抜きの矢印の向きに回転されれば、筐体３の隅部３ｈａが支持片２４に当たるので、てこの原理により比較的簡単に接続端子２２から取り外すこともできる。
【００６３】
本実施形態の光源装置１０では、回路素子４は、複数設けられる。複数の回路素子４のうち、少なくとも１つの回路素子４は、正面視において、一対の口金５に挟まれるように、実装基板２に配置される。ＬＥＤ１は、複数設けられる。複数のＬＥＤ１は、正面視において、一対の口金５を結ぶ直線と平行な方向に沿って配置される。複数のＬＥＤ１は、正面視において、筐体３の短手方向に沿った一方の端部と反対の他方の端部における実装基板２に配置されることが好ましい。
【００６４】
本実施形態の光源装置１０は、正面視において、回路素子４が一対の口金５に挟まれるように、実装基板２に配置されるので、一対の口金５から給電される電力を配線２ｃにより、ＬＥＤ１に先立って回路素子４に供給できる。光源装置１０は、ＬＥＤ１に先立って回路素子４と一対の口金５とを電気的に接続できるので、ＬＥＤ１と回路素子４とを接続する配線２ｃの取り回しを少なくできる。光源装置１０は、ＬＥＤ１と回路素子４とを接続する配線２ｃの取り回しを少なくできるので、ＬＥＤ１周りの配線２ｃのランドの面積を大きくできる。光源装置１０は、ＬＥＤ１周りの配線２ｃのランドの面積を大きくできるので、ＬＥＤ１の点灯により生ずる熱を放熱させ易くできる。光源装置１０は、ＬＥＤ１で生じた熱を放熱させ易くできるので、ＬＥＤ１及び回路素子４が熱により損傷することを抑制できる。光源装置１０は、ＬＥＤ１及び回路素子４が熱により損傷することを抑制できるので、信頼性の低下を抑制できる。
【００６５】
すなわち、光源装置１０は、回路素子４が一対の口金５に挟まれるように実装基板２に配置され、複数のＬＥＤ１が筐体３の短手方向に沿った他方の端部における実装基板２に配置されるので、回路素子４からＬＥＤ１への配線２ｃの取り回しが比較的簡単となる。光源装置１０は、回路素子４が一対の口金５に挟まれるように実装基板２に配置され、ＬＥＤ１が筐体３の短手方向に沿った他方の端部における実装基板２に配置されるので、ＬＥＤ１周りの配線２ｃを大きくできる。光源装置１０は、ＬＥＤ１周りの配線２ｃを大きくすることで、ＬＥＤ１の放熱性を高くできる。
【００６６】
また、光源装置１０では、実装基板２は、長尺の外形形状をしている。実装基板２は、長手方向の両端縁の各々が筐体３の外部に突出している。本実施形態の光源装置１０では、一対の突出片２ｂが実装基板２の両端縁に対応する。一対の口金５の各々は、円筒状の外形形状をしている。一対の口金５の各々は、筐体３の外部に突出した実装基板２の両端縁のうち、対応する端縁を囲む。一対の口金５の各々は、はんだにより、端縁における実装基板２の配線２ｃと電気的、かつ機械的に接続されることが好ましい。
【００６７】
本実施形態の光源装置１０は、一対の口金５の各々が、はんだにより、筐体３の外部に突出した実装基板２の配線２ｃと電気的、かつ機械的に接続されることで、口金５の機械的強度を高めることができる。
【００６８】
さらに、光源装置１０では、レンズ６は、筐体３と別体に構成されることが好ましい。
【００６９】
光源装置１０は、レンズ６と筐体３とが別体に構成されるので、異なる光学特性のレンズ６を筐体３の窓孔３ｂａに嵌め込まれるように構成できる。光源装置１０は、求められる配光特性に応じて、異なる光学特性のレンズ６を適宜に選択できる。言い換えれば、光源装置１０は、レンズ６だけが異なる光学特性のレンズ６に変更されれば、筐体３がそのままで異なる配光特性にできる。光源装置１０は、取り付け場所が狭い空間にあっても、レンズ６により所定の配光特性を得ることができる。
【００７０】
本実施形態に係る照明装置２０は、本実施形態の光源装置１０と、一対の接続端子２２と、支持体２１と、を備える。一対の接続端子２２は、一対の口金５と各別に電気的に接続される。支持体２１は、一対の接続端子２２を支持する。一対の接続端子２２の各々は、一対の挟持片２３を有する。一対の挟持片２３は、一対の口金５のうち、対応する口金５を挟み持つ。一対の挟持片２３は、弾性体であることが好ましい。
【００７１】
照明装置２０は、一対の口金５のうち、対応する口金５を挟み持つ一対の挟持片２３が、弾性体であることで、光源装置１０の取り付け及び取り外しの作業性の向上を図ることができる。
【００７２】
（実施形態２）
図７に示す本実施形態の移動体３０は、実施形態１の照明装置２０を備えている。実施形態１と同様の構成には、同一の符号を付して重複する説明を省略する。
【００７３】
本実施形態の移動体３０は、図７に示すように、実施形態１の照明装置２０と、本体３１と、を備える。本体３１は、照明装置２０を搭載する。
【００７４】
本実施形態の移動体３０は、実施形態１に係る照明装置２０を備えることで、より取り付け及び取り外しが簡単な光源装置１０を備えた構成にできる。
【００７５】
以下では、照明装置２０が搭載される移動体３０について、具体的に説明する。
【００７６】
移動体３０は、自動車である。本体３１は、自動車の車体である。車体には、サンバイザ３２が取り付けられている。サンバイザ３２は、長尺に形成される。サンバイザ３２は、矩形平板状の外形形状をしている。サンバイザ３２は、図７に示すように、長手方向の一端部に照明装置２０が備えられる。サンバイザ３２は、サンバイザ本体３３と、支持軸３４と、ブラケット３５と、パネル３８と、を有する。サンバイザ本体３３は、板状に形成される。支持軸３４は、サンバイザ本体３３を支持する。ブラケット３５は、支持軸３４を車体の天井面３０ａａに取り付けられる。
【００７７】
支持軸３４は、内部が中空に形成される。支持軸３４は、Ｌ字状の外形形状をしている。支持軸３４は、一端側がサンバイザ本体３３の周縁に沿って取り付けられる。支持軸３４は、他端側がブラケット３５に取り付けられる。支持軸３４は、ブラケット３５に対して、回転できる。サンバイザ３２は、支持軸３４によって、サンバイザ３２をフロントガラス側の位置と、横からの日除けとして側面ガラス側の位置との間を移動できる。サンバイザ３２は、支持軸３４周りに回転できる。サンバイザ３２は、支持軸３４によって、サンバイザ３２を天井面３０ａａ側の収納位置と、日除けとして遮光側位置との間を移動できる。
【００７８】
サンバイザ本体３３は、照明装置２０と、ミラー３６と、蓋３７と、を有する。蓋３７は、取手部３７ａを有している。蓋３７は、取手部３７ａが操作されることで、ミラー３６を覆う位置と、ミラー３６が外部に露出する位置と、の間でスライドできる。支持軸３４は、内部にケーブルが通る。ケーブルは、移動体３０の電源と、照明装置２０と、を電気的に接続する。照明装置２０は、接続端子２２を介して、光源装置１０へ電力が給電される。パネル３８は、照明装置２０を覆うように、サンバイザ本体３３に取り付けられる。パネル３８は、照明装置２０を保護する。パネル３８は、透光性を有する。パネル３８は、矩形平板状の外形形状をしている。
【００７９】
サンバイザ３２は、ミラー３６を外部に露出させる位置に蓋３７がスライドされることで、照明装置２０を点灯させる。
【００８０】
本実施形態の移動体３０では、光源装置１０の複数のＬＥＤ１が、正面視において、一対の口金５を結ぶ直線と平行な方向に沿って、筐体３における短手方向の一方と反対の他方の端部において実装基板２に配置されている。照明装置２０は、光源装置１０が一対の接続端子２２に保持された場合、ＬＥＤ１から放射される光が所定の配光を備える場合でも、複数のＬＥＤ１が筐体３の短手方向に偏って配置されているので、偏って配置されているミラー３６側に光を多く出射できる。ＬＥＤ１は、電球と比較して、正面が眩しくなる傾向にある。照明装置２０は、複数のＬＥＤ１が筐体３の短手方向の他方の端部に偏って配置されているので、ミラー３６と反対側に光を多く出射させる配置とすれば、ミラー３６を見る人に対し眩しさを低減することもできる。
【００８１】
移動体３０は、自動車だけに限られず、鉄道車両の他、航空機、若しくは船舶であってもよい。
【００８２】
本発明は、上述の実施形態だけに限定されず、本発明に係る技術的思想を逸脱しない範囲で、種々変更することができる。
【符号の説明】
【００８３】
１  ＬＥＤ
２  実装基板
２ｃ  配線
３  筐体
４  回路素子
５  口金
１０  光源装置
２０  照明装置
２１  支持体
２２  接続端子
２３  挟持片
３０  移動体
３１  本体
【図１】
2018016264.tif 000003
【図２】
2018016264.tif 000004
【図３】
2018016264.tif 000005
【図４】
2018016264.tif 000006
【図５】
2018016264.tif 000007
【図６】
2018016264.tif 000008
【図７】
2018016264.tif 000009